(57)【特許請求の範囲】
【請求項１】
複数の機能を備える情報処理装置であって、
ユーザーの人体を通信路として前記ユーザーが携帯した端末装置と通信を行う人体通信部と、
前記ユーザーによる操作を受ける画面を表示する表示部を有するとともに、当該表示部上に人体通信のための電極を備えた表示操作部と、
前記人体通信部と前記表示操作部を制御する制御部とを備え、
前記制御部は、
前記表示部に前記複数の機能のうちのいずれかを選択させるための機能選択画面を表示させ、
前記ユーザーにより前記機能選択画面において前記複数の機能のうちのいずれかの機能が選択されたときに、前記人体通信部と前記端末装置との間の通信が確立するか否かを判断し、
前記人体通信部と前記端末装置との間の通信が確立しない場合、前記機能選択画面において選択された機能に対応する第１の画面を前記表示部に表示させ、前記人体通信部と前記端末装置との間の通信が確立する場合、前記第１の画面に対し、前記人体通信によって前記端末装置に記憶されている情報のうち前記選択された機能に関する情報の取得を許可するための操作キーが追加された第２の画面を前記表示部に表示させる、ことを特徴とする情報処理装置。
【請求項２】
前記機能選択画面は初期画面であることを特徴とする請求項１に記載の情報処理装置。
【請求項３】
前記制御部は、前記表示操作部に表示されている前記操作キーに対する入力があったのち、前記人体通信部を通じて前記端末装置が記憶している情報を取得することを特徴とする請求項１または２に記載の情報処理装置。
【請求項４】
前記複数の機能はスキャナー機能を含み、前記機能選択画面において前記スキャナー機能が選択されたとき、前記人体通信部と前記端末装置との間の通信が確立する場合、前記スキャナー機能に対応する前記第１の画面に対し、前記操作キーとして、前記端末装置に記憶されている宛先情報を取得するためのキーが追加された第２の画面を前記表示部に表示させることを特徴とする請求項１〜３のいずれか一つに記載の情報処理装置。
【請求項５】
前記複数の機能はコピー機能を含み、前記機能選択画面において前記コピー機能が選択されたとき、前記人体通信部と前記端末装置との間の通信が確立する場合、前記コピー機能に対応する前記第１の画面に対し、前記操作キーとして、前記端末装置に記憶されている個人用設定情報を取得するためのキーが追加された第２の画面を前記表示部に表示させることを特徴とする請求項１〜４のいずれか一つに記載の情報処理装置。
【請求項６】
前記複数の機能はユーザー認証機能を含み、前記機能選択画面において前記ユーザー認証機能が選択されたとき、前記人体通信部と前記端末装置との間の通信が確立する場合、前記ユーザー認証機能に対応する前記第１の画面に対し、前記操作キーとして、前記端末装置に記憶されているユーザー認証情報を取得するためのキーが追加された第２の画面を前記表示部に表示させることを特徴とする請求項１〜５のいずれか一つに記載の情報処理装置。
【請求項７】
前記複数の機能はセキュリティ文書を印刷する機能を含み、前記機能選択画面において前記セキュリティ文書を印刷する機能が選択されたとき、前記人体通信部と前記端末装置との間の通信が確立する場合、前記セキュリティ文書を印刷する機能に対応する前記第１の画面に対し、前記操作キーとして、前記端末装置に記憶されているセキュリティ文書情報を取得するためのキーが追加された第２の画面を前記表示部に表示させることを特徴とする請求項１〜６のいずれか一つに記載の情報処理装置。
【請求項８】
前記制御部は、前記人体通信部と前記端末装置との間の通信が可能と判断した後、所定時間に亘って前記操作キーを表示することを特徴とする請求項１〜７のいずれか一つに記載の情報処理装置。
【請求項９】
前記制御部は、前記人体通信部と前記端末装置との間の通信が不可能と判断した場合に、前記操作キーが表示されているときには、前記表示されている前記操作キーを消去することを特徴とする請求項１〜８のいずれか一つに記載の情報処理装置。
【請求項１０】
画像データに基づいて用紙上に画像形成を行う画像形成部を更に備えることを特徴とする請求項１〜９のいずれか一つに記載の情報処理装置。
【請求項１１】
複数の機能を備え、
ユーザーの人体を通信路として前記ユーザーが携帯した端末装置と通信を行う人体通信部と、
前記ユーザーによる操作を受ける画面を表示する表示部を有するとともに、当該表示部上に配置された人体通信のための電極を備えた表示操作部と、
前記人体通信部および前記表示操作部を制御する制御部と、を備えた情報処理装置の制御方法であって、
前記制御部によって、
前記表示部に前記複数の機能のうちのいずれかを選択させるための機能選択画面を表示させ、
前記ユーザーにより前記機能選択画面において前記複数の機能のうちのいずれかの機能が選択されたときに、前記人体通信部と前記端末装置との間の通信が確立するか否かを判断させ、
前記人体通信部と前記端末装置との間の通信が確立しない場合、前記機能選択画面において選択された機能に対応する第１の画面を前記表示部に表示させ、前記人体通信部と前記端末装置との間の通信が確立する場合、前記第１の画面に対し、前記人体通信によって前記端末装置に記憶されている情報のうち前記選択された機能に関する情報の取得を許可するための操作キーが追加された第２の画面を前記表示部に表示させる、ことを特徴とする情報処理装置の制御方法。
【請求項１２】
前記機能選択画面は初期画面であることを特徴とする請求項１１に記載の情報処理装置の制御方法。
【請求項１３】
前記機能選択画面において、前記複数の機能のうちからスキャナー機能が選択されたとき、前記人体通信部と前記端末装置との間の通信が確立する場合、前記スキャナー機能に対応する前記第１の画面に対し、前記操作キーとして、前記端末装置に記憶されている宛先情報を取得するためのキーが追加された第２の画面を前記表示部に表示させ、
または、前記機能選択画面において、前記複数の機能のうちからコピー機能が選択されたとき、前記人体通信部と前記端末装置との間の通信が確立する場合、前記コピー機能に対応する前記第１の画面に対し、前記操作キーとして、前記端末装置に記憶されている個人用設定情報を取得するためのキーが追加された第２の画面を前記表示部に表示させ、
または、前記機能選択画面において、前記複数の機能のうちからユーザー認証機能が選択されたとき、前記人体通信部と前記端末装置との間の通信が確立する場合、前記ユーザー認証機能に対応する前記第１の画面に対し、前記操作キーとして、前記端末装置に記憶されているユーザー認証情報を取得するためのキーが追加された第２の画面を前記表示部に表示させ、
または、前記機能選択画面において、前記複数の機能のうちからセキュリティ文書印刷機能が選択されたとき、前記人体通信部と前記端末装置との間の通信が確立する場合、前記セキュリティ文書を印刷する機能に対応する前記第１の画面に対し、前記操作キーとして、前記端末装置に記憶されているセキュリティ文書情報を取得するためのキーが追加された第２の画面を前記表示部に表示させる、ことを特徴とする請求項１１または１２に記載の情報処理装置の制御方法。
【請求項１４】
複数の機能を備え、
ユーザーの人体を通信路として前記ユーザーが携帯した端末装置と通信を行う人体通信部と、
前記ユーザーによる操作を受ける画面を表示する表示部を有するとともに、当該表示部の上に配置された人体通信のための電極を備えた表示操作部と、を備えた情報処理装置の制御をコンピューターに実行させる制御プログラムであって、
前記表示部に前記複数の機能のうちのいずれかを選択させるための機能選択画面を表示させる手順（ａ）と、
前記ユーザーにより前記機能選択画面において前記複数の機能のうちのいずれかの機能が選択されたときに、前記人体通信部と前記端末装置との間の通信が確立するか否かを判断させる手順（ｂ）と、
前記人体通信部と前記端末装置との間の通信が確立しない場合、前記機能選択画面において選択された機能に対応する第１の画面を前記表示部に表示させ、前記人体通信部と前記端末装置との間の通信が確立する場合、前記第１の画面に対し、前記人体通信によって前記端末装置に記憶されている情報のうち前記選択された機能に関する情報の取得を許可するための操作キーが追加された第２の画面を前記表示部に表示させる手順（ｃ）と、
を有することを特徴とする情報処理装置の制御プログラム。
【請求項１５】
前記機能選択画面は初期画面であることを特徴とする請求項１４に記載の情報処理装置の制御プログラム。
【請求項１６】
前記機能選択画面において、前記複数の機能のうちからスキャナー機能が選択されたとき、前記人体通信部と前記端末装置との間の通信が確立する場合、前記スキャナー機能に対応する前記第１の画面に対し、前記操作キーとして、前記端末装置に記憶されている宛先情報を取得するためのキーが追加された第２の画面を前記表示部に表示させ、
または、前記機能選択画面において、前記複数の機能のうちからコピー機能が選択されたとき、前記人体通信部と前記端末装置との間の通信が確立する場合、前記コピー機能に対応する前記第１の画面に対し、前記操作キーとして、前記端末装置に記憶されている個人用設定情報を取得するためのキーが追加された第２の画面を前記表示部に表示させ、
または、前記機能選択画面において、前記複数の機能のうちからユーザー認証機能が選択されたとき、前記人体通信部と前記端末装置との間の通信が確立する場合、前記ユーザー認証機能に対応する前記第１の画面に対し、前記操作キーとして、前記端末装置に記憶されているユーザー認証情報を取得するためのキーが追加された第２の画面を前記表示部に表示させ、
または、前記機能選択画面において、前記複数の機能のうちからセキュリティ文書印刷機能が選択されたとき、前記人体通信部と前記端末装置との間の通信が確立する場合、前記セキュリティ文書を印刷する機能に対応する前記第１の画面に対し、前記操作キーとして、前記端末装置に記憶されているセキュリティ文書情報を取得するためのキーが追加された第２の画面を前記表示部に表示させる、ことを特徴とする請求項１４または１５に記載の情報処理装置の制御プログラム。
【請求項１７】
請求項１４〜１６のいずれか一つに記載の情報処理装置の制御プログラムを記憶したコンピューター読み取り可能な記憶媒体。
【発明の詳細な説明】
【技術分野】
【０００１】
本発明は、情報処理装置およびその制御方法、ならびに制御プログラムに関し、詳しくは、人体通信機能を有する情報処理装置およびその制御方法、ならびにこの情報処理装置を制御するためのコンピューターに実行させる制御プログラムに関する。
【背景技術】
【０００２】
画像形成装置（複合機）において、人体通信機能を利用して、ユーザーが携帯する人体通信端末装置と通信して個人認証（ユーザー認証）を行う技術がある。
【０００３】
たとえば、人体通信機能を利用した複合機の操作パネルに、ユーザーが触れると、ユーザーの人体を通信路にして、そのユーザーが携帯している端末装置と通信し、端末装置に記憶されている認証データ（識別データ）認証データに基づいてユーザーを識別および認証する。そして、その認証結果に応じて、操作に対する動作を制御する技術がある（特許文献１）。
【０００４】
また、たとえば、上記技術同様に、人体通信機能を利用して、ユーザーが携帯している端末装置と通信し、端末装置に記憶されている認証データで認証を行ったのち、さらに、受信したユーザー情報に対応する機能のうち、特定された機能に対応する使用が許可されているか否かを判断して、タッチパネルに判断結果に応じた表示を行なう技術がある（特許文献２）。
【０００５】
さらに、たとえば、指紋認証と人体通信機能を組み合わせて、複合機の操作パネルに、ユーザーが触れた指の指紋で認証を行うとともに、ユーザーの人体を通信路にして、そのユーザーが携帯している端末装置と通信し、端末装置に記憶されている情報に基づいた制御を行う技術がある（特許文献３）。
【０００６】
これらの技術はいずれも、人体通信を利用して、ユーザーが携帯する端末装置に記憶されている認証データを取り出して認証を行い、認証された場合には、そのユーザー情報や端末装置に記憶されている情報に応じて自動操作（複写機の動作）が行われる。
【先行技術文献】
【特許文献】
【０００７】
【特許文献１】特開２０１０−２６２４５４号公報
【特許文献２】特開２０１０−２９９９号公報
【特許文献３】特開２０１０−１６４６６３号公報
【発明の概要】
【発明が解決しようとする課題】
【０００８】
上記従来のように、人体通信を用いた自動化が進むにつれて、ユーザーにとっては必ずしも利便性が向上しない事例が出てきている。
【０００９】
たとえば、人体通信の端末装置を携帯したユーザーであっても、現在携帯している端末装置の情報に基づいた自動操作を希望しない場合がある。
【００１０】
このような場合、従来技術では、初めから認証自体を行わせないように複写機を設定してから操作を開始したり、自動的に始まった動作を強制的に止めるための操作を行わなければならなくなり、かえって手間がかかる。一方で、端末装置を携帯しているユーザーができるだけ少ない手間で自動的に決まった動作をしてもらいたいという要望も、そのまま存在している。
【００１１】
そこで、本発明の目的は、できるだけ少ない手間で、人体通信を利用した端末装置の携帯者（ユーザー）におけるその時々の要望に応じた機能、動作を実行することができる情報処理装置、およびその制御方法、並びに制御プログラムを提供することである。
【課題を解決するための手段】
【００１２】
本発明の上記目的は、下記の手段によって達成される。
【００１３】
（１）複数の機能を備える情報処理装置であって、ユーザーの人体を通信路として前記ユーザーが携帯した端末装置と通信を行う人体通信部と、前記ユーザーによる操作を受ける画面を表示する表示部を有するとともに、当該表示部上に人体通信のための電極を備えた表示操作部と、前記人体通信部と前記表示操作部を制御する制御部とを備え、前記制御部は、前記表示部に前記複数の機能のうちのいずれかを選択させるための機能選択画面を表示させ、前記ユーザーにより前記機能選択画面において前記複数の機能のうちのいずれかの機能が選択されたときに、前記人体通信部と前記端末装置との間の通信が確立するか否かを判断し、前記人体通信部と前記端末装置との間の通信が確立しない場合、前記機能選択画面において選択された機能に対応する第１の画面を前記表示部に表示させ、前記人体通信部と前記端末装置との間の通信が確立する場合、前記第１の画面に対し、前記人体通信によって前記端末装置に記憶されている情報のうち前記選択された機能に関する情報の取得を許可するための操作キーが追加された第２の画面を前記表示部に表示させる、ことを特徴とする情報処理装置。
【００１４】
（２）前記機能選択画面は初期画面であることを特徴とする（１）記載の情報処理装置。
【００１５】
（３）前記制御部は、前記表示操作部に表示されている前記操作キーに対する入力があったのち、前記人体通信部を通じて前記端末装置が記憶している情報を取得することを特徴とする（１）または（２）記載の情報処理装置。
【００１６】
（４）前記複数の機能はスキャナー機能を含み、前記機能選択画面において前記スキャナー機能が選択されたとき、前記人体通信部と前記端末装置との間の通信が確立する場合、前記スキャナー機能に対応する前記第１の画面に対し、前記操作キーとして、前記端末装置に記憶されている宛先情報を取得するためのキーが追加された第２の画面を前記表示部に表示させることを特徴とする（１）〜（３）のいずれか一つに記載の情報処理装置。
【００１７】
（５）前記複数の機能はコピー機能を含み、前記機能選択画面において前記コピー機能が選択されたとき、前記人体通信部と前記端末装置との間の通信が確立する場合、前記コピー機能に対応する前記第１の画面に対し、前記操作キーとして、前記端末装置に記憶されている個人用設定情報を取得するためのキーが追加された第２の画面を前記表示部に表示させることを特徴とする（１）〜（４）のいずれか一つに記載の情報処理装置。
【００１８】
（６）前記複数の機能はユーザー認証機能を含み、前記機能選択画面において前記ユーザー認証機能が選択されたとき、前記人体通信部と前記端末装置との間の通信が確立する場合、前記ユーザー認証機能に対応する前記第１の画面に対し、前記操作キーとして、前記端末装置に記憶されているユーザー認証情報を取得するためのキーが追加された第２の画面を前記表示部に表示させることを特徴とする（１）〜（５）のいずれか一つに記載の情報処理装置。
【００１９】
（７）前記複数の機能はセキュリティ文書を印刷する機能を含み、前記機能選択画面において前記セキュリティ文書を印刷する機能が選択されたとき、前記人体通信部と前記端末装置との間の通信が確立する場合、前記セキュリティ文書を印刷する機能に対応する前記第１の画面に対し、前記操作キーとして、前記端末装置に記憶されているセキュリティ文書情報を取得するためのキーが追加された第２の画面を前記表示部に表示させることを特徴とする（１）〜（６）のいずれか一つに記載の情報処理装置。
【００２０】
（８）前記制御部は、前記人体通信部と前記端末装置との間の通信が可能と判断した後、所定時間に亘って前記操作キーを表示することを特徴とする（１）〜（７）のいずれか一つに記載の情報処理装置。
【００２１】
（９）前記制御部は、前記人体通信部と前記端末装置との間の通信が不可能と判断した場合に、前記操作キーが表示されているときには、前記表示されている前記操作キーを消去することを特徴とする（１）〜（８）のいずれか一つに記載の情報処理装置。
【００２２】
（１０）画像データに基づいて用紙上に画像形成を行う画像形成部を更に備えることを特徴とする（１）〜（９）のいずれか一つに記載の情報処理装置。
【００２３】
（１１）複数の機能を備え、ユーザーの人体を通信路として前記ユーザーが携帯した端末装置と通信を行う人体通信部と、前記ユーザーによる操作を受ける画面を表示する表示部を有するとともに、当該表示部上に配置された人体通信のための電極を備えた表示操作部と、前記人体通信部および前記表示操作部を制御する制御部と、を備えた情報処理装置の制御方法であって、前記制御部によって、前記表示部に前記複数の機能のうちのいずれかを選択させるための機能選択画面を表示させ、前記ユーザーにより前記機能選択画面において前記複数の機能のうちのいずれかの機能が選択されたときに、前記人体通信部と前記端末装置との間の通信が確立するか否かを判断させ、前記人体通信部と前記端末装置との間の通信が確立しない場合、前記機能選択画面において選択された機能に対応する第１の画面を前記表示部に表示させ、前記人体通信部と前記端末装置との間の通信が確立する場合、前記第１の画面に対し、前記人体通信によって前記端末装置に記憶されている情報のうち前記選択された機能に関する情報の取得を許可するための操作キーが追加された第２の画面を前記表示部に表示させる、ことを特徴とする情報処理装置の制御方法。
【００２４】
（１２）前記機能選択画面は初期画面であることを特徴とする（１１）記載の情報処理装置の制御方法。
【００２５】
（１３）前記機能選択画面において、前記複数の機能のうちからスキャナー機能が選択されたとき、前記人体通信部と前記端末装置との間の通信が確立する場合、前記スキャナー機能に対応する前記第１の画面に対し、前記操作キーとして、前記端末装置に記憶されている宛先情報を取得するためのキーが追加された第２の画面を前記表示部に表示させ、または、前記機能選択画面において、前記複数の機能のうちからコピー機能が選択されたとき、前記人体通信部と前記端末装置との間の通信が確立する場合、前記コピー機能に対応する前記第１の画面に対し、前記操作キーとして、前記端末装置に記憶されている個人用設定情報を取得するためのキーが追加された第２の画面を前記表示部に表示させ、または、前記機能選択画面において、前記複数の機能のうちからユーザー認証機能が選択されたとき、前記人体通信部と前記端末装置との間の通信が確立する場合、前記ユーザー認証機能に対応する前記第１の画面に対し、前記操作キーとして、前記端末装置に記憶されているユーザー認証情報を取得するためのキーが追加された第２の画面を前記表示部に表示させ、または、前記機能選択画面において、前記複数の機能のうちからセキュリティ文書印刷機能が選択されたとき、前記人体通信部と前記端末装置との間の通信が確立する場合、前記セキュリティ文書を印刷する機能に対応する前記第１の画面に対し、前記操作キーとして、前記端末装置に記憶されているセキュリティ文書情報を取得するためのキーが追加された第２の画面を前記表示部に表示させる、ことを特徴とする（１１）または（１２）に記載の情報処理装置の制御方法。
【００２６】
（１４）複数の機能を備え、ユーザーの人体を通信路として前記ユーザーが携帯した端末装置と通信を行う人体通信部と、前記ユーザーによる操作を受ける画面を表示する表示部を有するとともに、当該表示部の上に配置された人体通信のための電極を備えた表示操作部と、を備えた情報処理装置の制御をコンピューターに実行させる制御プログラムであって、前記表示部に前記複数の機能のうちのいずれかを選択させるための機能選択画面を表示させる手順（ａ）と、前記ユーザーにより前記機能選択画面において前記複数の機能のうちのいずれかの機能が選択されたときに、前記人体通信部と前記端末装置との間の通信が確立するか否かを判断させる手順（ｂ）と、前記人体通信部と前記端末装置との間の通信が確立しない場合、前記機能選択画面において選択された機能に対応する第１の画面を前記表示部に表示させ、前記人体通信部と前記端末装置との間の通信が確立する場合、前記第１の画面に対し、前記人体通信によって前記端末装置に記憶されている情報のうち前記選択された機能に関する情報の取得を許可するための操作キーが追加された第２の画面を前記表示部に表示させる手順（ｃ）と、を有することを特徴とする情報処理装置の制御プログラム。
【００２７】
（１５）前記機能選択画面は初期画面であることを特徴とする（１４）に記載の情報処理装置の制御プログラム。
【００２８】
（１６）前記機能選択画面において、前記複数の機能のうちからスキャナー機能が選択されたとき、前記人体通信部と前記端末装置との間の通信が確立する場合、前記スキャナー機能に対応する前記第１の画面に対し、前記操作キーとして、前記端末装置に記憶されている宛先情報を取得するためのキーが追加された第２の画面を前記表示部に表示させ、または、前記機能選択画面において、前記複数の機能のうちからコピー機能が選択されたとき、前記人体通信部と前記端末装置との間の通信が確立する場合、前記コピー機能に対応する前記第１の画面に対し、前記操作キーとして、前記端末装置に記憶されている個人用設定情報を取得するためのキーが追加された第２の画面を前記表示部に表示させ、または、前記機能選択画面において、前記複数の機能のうちからユーザー認証機能が選択されたとき、前記人体通信部と前記端末装置との間の通信が確立する場合、前記ユーザー認証機能に対応する前記第１の画面に対し、前記操作キーとして、前記端末装置に記憶されているユーザー認証情報を取得するためのキーが追加された第２の画面を前記表示部に表示させ、または、前記機能選択画面において、前記複数の機能のうちからセキュリティ文書印刷機能が選択されたとき、前記人体通信部と前記端末装置との間の通信が確立する場合、前記セキュリティ文書を印刷する機能に対応する前記第１の画面に対し、前記操作キーとして、前記端末装置に記憶されているセキュリティ文書情報を取得するためのキーが追加された第２の画面を前記表示部に表示させる、ことを特徴とする（１４）または（１５）に記載の情報処理装置の制御プログラム。
（１７）（１４）〜（１６）のいずれか一つに記載の情報処理装置の制御プログラムを記憶したコンピューター読み取り可能な記憶媒体。
【発明の効果】
【００２９】
本発明によれば、人体通信を利用した端末装置と通信可能化か否かを判断したのち、可能な場合には、端末装置に記憶されている情報の取得を許可するための操作キーを表示することとした。このため、端末装置の情報を利用したい端末装置の携帯者（ユーザー）はこの操作キーを押すことで自動化された機能、動作を継続して行わせることができる一方、それを望まないユーザーにはこの操作キーを押さなければ、端末装置からの情報の取得やそれ以降の自動化の処理は行われなくなる。したがって、ユーザーは、情報処理装置に対して、少ない手動操作でその時々の要望に応じた機能、動作を行わせることができる。
【図面の簡単な説明】
【００３０】
【図１】本発明の一実施形態である情報処理装置となる画像形成装置の構成を説明するためのブロック図である。
【図２】画像形成装置における印刷指示受付動作の手順を示すフローチャートである。
【図３】端末装置携帯者向けのユーザーインターフェースの表示処理の手順を示すサブルーチンフローチャートである。
【図４】一般向けのユーザーインターフェース表示の手順を示すサブルーチンフローチャートである。
【図５】ログインＩＤキー操作時の手順の一つの例を示すサブルーチンフローチャートである。
【図６】ログインＩＤキー操作時の手順の他の例を示すサブルーチンフローチャートである。
【図７】端末装置装着者向けのユーザーインターフェース消去の手順を示すサブルーチンフローチャートである。
【図８】スキャナー機能における送信先のメールアドレスを設定する場合のユーザーインターフェース例を示す説明図である。
【図９】図８に続くスキャナー機能における送信先のメールアドレスを設定する場合のユーザーインターフェース例を示す説明図である。
【図１０】図９に続くスキャナー機能における送信先のメールアドレスを設定する場合のユーザーインターフェース例を示す説明図である。
【図１１】図１０に続くスキャナー機能における送信先のメールアドレスを設定する場合のユーザーインターフェース例を示す説明図である。
【図１２】コピー機能における条件設定をする場合のユーザーインターフェース例を示す説明図である。
【図１３】図１２に続くコピー機能における条件設定をする場合のユーザーインターフェース例を示す説明図である。
【図１４】図１３に続くコピー機能における条件設定をする場合のユーザーインターフェース例を示す説明図である。
【図１５】図１４に続くコピー機能における条件設定をする場合のユーザーインターフェース例を示す説明図である。
【図１６】ユーザー認証により画像形成装置へログインする場合のユーザーインターフェース例を示す説明図である。
【図１７】図１６に続くユーザー認証により画像形成装置へログインする場合のユーザーインターフェース例を示す説明図である。
【図１８】図１７に続くユーザー認証により画像形成装置へログインする場合のユーザーインターフェース例を示す説明図である。
【図１９】図１８に続くユーザー認証により画像形成装置へログインする場合のユーザーインターフェース例を示す説明図である。
【図２０】ユーザー認証により画像形成装置へログインする場合の他のユーザーインターフェース例を示す説明図である。
【図２１】セキュリティ文書を印刷するためにセキュリティ文書ボックスへアクセスする場合のユーザーインターフェース例を示す説明図である。
【図２２】図２１に続くセキュリティ文書を印刷するためにセキュリティ文書ボックスへアクセスする場合のユーザーインターフェース例を示す説明図である。
【図２３】図２２に続くセキュリティ文書を印刷するためにセキュリティ文書ボックスへアクセスする場合のユーザーインターフェース例を示す説明図である。
【図２４】図２３に続くセキュリティ文書を印刷するためにセキュリティ文書ボックスへアクセスする場合のユーザーインターフェース例を示す説明図である。
【発明を実施するための形態】
【００３１】
以下、図面を参照して本発明の実施形態を説明する。
【００３２】
図１は、本発明の一実施形態である情報処理装置となる画像形成装置の構成を説明するためのブロック図である。
【００３３】
画像形成装置１は、制御部２、記憶部３、操作部４、人体通信部５、表示部６、原稿読取部７、画像形成部８、入出力インターフェース９、電源部１０を備えている。
【００３４】
制御部２は、画像形成装置１全体の制御を行う。ここでは特に人体通信を利用した通信の制御もこの制御部２が行っている。制御部２はＣＰＵ（ｃｅｎｔｒａｌ  ｐｒｏｃｅｓｓｉｎｇ  ｕｎｉｔ）を備え、記憶部３（ＲＯＭ（ｒｅａｄ−ｏｎｌｙ  ｍｅｍｏｒｙ）、ＲＡＭ（ｒａｎｄｏｍ−ａｃｃｅｓｓ  ｍｅｍｏｒｙ）、ＨＤＤ（ｈａｒｄ  ｄｉｓｋ  ｄｒｉｖｅ）（いずれも不図示））とともにいわゆるコンピューターとして後述する各手順を実施するための制御プログラムを実行する。制御部２が制御プログラムを実行することで、画像形成装置１全体および各部の制御を行っている。また人体通信を利用した制御もまたこの制御部２が後述する手順を実施するための制御プログラムを実行することで行っている。
【００３５】
記憶部３は、ＲＯＭ、ＲＡＭ、ＨＤＤ（いずれも不図示）などからなる。ＲＯＭは書き込み不可能な不揮発性のメモリであり恒久的なデータの保管を行う。たとえば画像形成装置１の起動を制御する基本動作のプログラムはここに記憶されている。
【００３６】
ＲＡＭは揮発性のメモリであり、ＣＰＵが利用するワークエリアとなり一時的なデータの記憶を行う。また、最終的に保存指示されるまでの間、読み取り画像や受信画像などが一時的に保管される。各制御フロー間で共有される判断のための情報などもここに一時的に保管される。
【００３７】
ＨＤＤは書き込み可能な不揮発性のメモリであり、変化を伴う恒久的なデータの保管を行う。画像形成装置１全体の制御プログラム、人体通信を利用した制御のプログラムなどはここに記憶されている。
【００３８】
操作部４は、画像形成装置１におけるユーザー操作入力を受け付ける（各種機能、動作の呼び出し、設定の入力など）。操作部４は、表示部６上に配したタッチパネルや、たとえばテンキーおよびスタートキー、キャンセルキーなどのハードキーを備え、これらタッチパネルやハードキーからの入力を受け付ける。ユーザーは所望の動作条件をこの操作部４から入力したり、起動指示を入力したりする。また、表示内容の切り替え指示などもこの操作部４から入力する。
【００３９】
またこの操作部４は、表示部６上に配置された人体通信用の電極６１を更に備える。そして操作部４は、ユーザーが携帯する端末装置と通信を行う人体通信部５を備え、ユーザーが表示部６上の電極６１に触れることで、人体を通信路として通信を行う。
【００４０】
人体通信部５は、人体を通信路としてユーザーが携帯する端末装置と通信を行うための通信回路を備える。
【００４１】
表示部６は、グラフィックな表示能力を持つ表示パネル（たとえば液晶表示パネル）で構成され、この表示パネルの上に前述のタッチパネルが配置される。表示部６には、ユーザーに対して装置情報や使用にまつわる各種動作条件設定に関する操作ボタンなどを表示される。なお、本明細書では、操作部４と表示部６とを纏めて表示操作部と称することがある。
【００４２】
原稿読取部７は、画像形成すべき画像の元原稿を読取り電子データ化する。電子データ（デジタルデータ）は、ＨＤＤに記憶されたり、ネットワークを介して接続されているコンピューターなどへ転送されたり、また、いわゆるコピー機能として、画像形成部８に画像データを転送して印刷されたりする。
【００４３】
画像形成部８は、画像データに基づく画像をトナーなどの現像材を用いて用紙上に画像形成（印刷）する。
【００４４】
入出力インターフェース９は、この画像形成装置１をネットワーク５０に接続する。このために入出力インターフェース９は、接続されるネットワーク５０の規格に応じてデータの送受信を行う。ここでネットワーク５０は、たとえば、イーサネット（登録商標）、トークンリング、およびＦＤＤＩ（Ｆｉｂｅｒ  Ｄｉｓｔｒｉｂｕｔｅｄ  Ｄａｔａ  Ｉｎｔｅｒｆａｃｅ）等の規格によりコンピューターやネットワーク機器同士を接続したＬＡＮ（Ｌｏｃａｌ  Ａｒｅａ  Ｎｅｔｗｏｒｋ）、またはＬＡＮ同士を専用線で接続したＷＡＮ（Ｗｉｄｅ  Ａｒｅａ  Ｎｅｔｗｏｒｋ）等の各種のネットワーク５０である。
【００４５】
ネットワーク５０には、印刷ジョブを作成するコンピューター（図示ＰＣ（ｐｅｒｓｏｎａｌ  ｃｏｍｐｕｔｅｒ））５１が接続されている。なお、図では、ネットワーク５０に画像形成装置１、コンピューター５１ともに１台ずつ接続されているように示したが、これらは複数がネットワーク５０に接続されていてもよい。
【００４６】
画像形成装置１は、この入出力インターフェース９によりコンピューター５１から印刷ジョブを受け取って、画像形成部８により印刷を行うことになる。
【００４７】
電源部１０は画像形成装置設置場所における電源供給元より受け取った電力を、装置内の各構成要素に供給する。
【００４８】
次に、この画像形成装置１の動作を説明する。図２は、画像形成装置１における印刷指示受付動作の手順を示すフローチャート（メインルーチン）である。
【００４９】
まず、電源ＯＮにより、制御部２は表示部６に初期画面として機能選択画面（詳細後述）を表示する（Ｓ１）。機能とは、たとえば、原稿を原稿読取部７で読み取って所定のアドレス（メールアドレスやクライアントコンピュータのアドレスなど）へ読み取った画像を送信するスキャナー機能、原稿を原稿読取部７で読み取って、読み取った画像を画像形成部８で印刷するコピー機能、原稿を原稿読取部７で読み取って、読み取った画像をファクシミリで外部へ送信するＦＡＸ機能、印刷するデータが蓄えられているボックス機能、画像形成装置自体の機能設定などを行うためのログインの選択機能などである。
【００５０】
この状態からユーザー（操作者）が表示部６の上に配置された電極６１に触れて操作したか否かを判断する（Ｓ２）。これは、すなわち機能選択画面から各機能の選択のためにユーザーが操作パネル（タッチパネル）に触れたか（押圧したか）否かを判断することになる。ユーザーが操作パネルに触れるまで待機となる（Ｓ２：ＮＯ）。またこのとき、一定時間の経過などによる操作パネルを人体通信用の表示から一般用（人体通信を行わない）に切り替えるなどとしてもよい（Ｓ１０（詳細後述））。
【００５１】
制御部２はユーザーが操作パネルに触れたと認識すると（Ｓ２：ＹＥＳ）、選択された機能を保持する（記憶部３に記憶）とともに、制御部２は人体通信部５を通じて、端末装置への通信要求を出力する（Ｓ３）。この出力は、表示部６の電極６１から人体を通じて、ユーザーが携帯する端末装置へ流れてゆくことになる。
【００５２】
そして制御部２は、通信要求に対する返信が端末装置からあったか否かを確認する（Ｓ４）。ここで返信がない場合（Ｓ４：ＮＯ）、端末装置との通信が確立されていないので、操作しているユーザーは人体通信用端末装置を携帯していないということである。したがって、この場合は、表示部６に一般用ユーザーインターフェース（人体通信を行わないユーザーインターフェース（ＵＩ（ｕｓｅｒ  ｉｎｔｅｒｆａｃｅ））を表示する（Ｓ５）。その後は一般的な動作が行われる（これについては一般的な画像形成装置（複写機、プインターなど）の動作であるので説明は省略する）。
【００５３】
一方、Ｓ４において、返信があればユーザーが持っている端末装置との通信が確立する（Ｓ４：ＹＥＳ）。この状態はすなわち、操作を行っているユーザーが人体通信用端末装置を持っていて、しかもその端末装置は画像形成装置１との間で通信を行うことのできる端末装置であることを示し、その端末装置との間で通信が確立したということである。ただし、このＳ４の段階では、通信できることがわかるだけで、ユーザーが持っている端末装置内の情報（たとえばユーザーＩＤやパスワード、様々な設定などの情報）の読み出しは行われていない。
【００５４】
ユーザーが持っている端末装置との通信が確立したなら、制御部２は、端末装置携帯者向けのユーザーインターフェースの表示する処理に移る（Ｓ６）。その後、電源ＯＦＦとなるまで（Ｓ７）、Ｓ１からの処理を継続する。
【００５５】
図３は、端末装置携帯者向けのユーザーインターフェースの表示処理の手順を示すサブルーチンフローチャートである。
【００５６】
上記Ｓ６のステップに入るとまず、初期画面（機能選択画面）から選択された機能（Ｓ２で機能が選択されたときに保持されたキー入力）に応じて、選択された機能に対応した一般向けユーザーインターフェース画面を表示する（Ｓ１００）。この画面は選択された機能において、一般向けと人体通信を利用した場合とで共通する画面であるので、このサブルーチンでは最初にこの一般向けユーザーインターフェース画面を表示する処理を行っている。
【００５７】
そして、以降、順に初期画面（機能選択画面：Ｓ１）から選択された機能に応じて、人体通信を用いた表示を行うことになる。
【００５８】
スキャナー機能が選択された場合（Ｓ１０１：ＹＥＳ）は、スキャンした宛先として自分（自分とは操作中のユーザーのことである。以下同様）宛を選択するための操作キーを、Ｓ１００で表示した画面に追加で表示する（Ｓ１０２）。このような追加による操作キーは人体通信機能を利用して端末装置に記憶されている情報の取得を許可するための操作キーである（以下同様）。なお、処理手順としてはＳ１００の一般向けユーザーインターフェース画面が表示されたのち、Ｓ１０２の操作キーが順番に表示されることになるが、実際の表示においてはＳ１００における表示と、この追加で表示される操作キーは一緒に表示されているように見える（以下他の機能についても同様に、一般向けのユーザーインターフェースに追加する形で操作キーが表示されることになる）。
【００５９】
ここで自分宛が選択された場合は、制御部２は人体通信部５を通じてユーザーが携帯している端末装置へ自分のアドレスを提供するように要求し、この要求により端末装置から自分のアドレスが種痘される。そして制御部２は得られた自分のアドレスをスキャンデータの送り先に指定する。
【００６０】
初期画面（機能選択画面）でコピー機能が選択された場合は（Ｓ１０３：ＹＥＳ）は、コピーの際に出力する用紙サイズや部数、カラー／白黒などの設定として自分専用の設定（自分設定）を選択する操作キーを追加で表示する（Ｓ１０４）。ここで自分設定が選択された場合は、制御部２は人体通信部５を通じてユーザーが携帯している端末装置へ自分の設定を提供するように要求し、この要求により得られた自分の設定によりコピーの出力を行うように設定する。このコピー機能においても、画像形成装置１にあらかじめ自分のＩＤに対応させたコピー設定を記憶させておいて、端末装置からはＩＤだけ取得して、取得したＩＤに対応した設定によりコピーするようにしてもよい。
【００６１】
初期画面（機能選択画面）でログインＩＤキー操作が選択された場合は（Ｓ１０５：ＹＥＳ）は、ログインＩＤキー操作制御に移るための操作キーを追加で表示する（Ｓ１０６）。
【００６２】
初期画面（機能選択画面）でセキュリティ文書ボックスが選択された場合は（Ｓ１０７：ＹＥＳ）は、取り出す印刷物の文書ボックス番号として自分文書ＩＤを選択する操作キーを追加で表示する（Ｓ１０８）。ここで自分文書ＩＤが選択された場合は、制御部２は人体通信部５を通じてユーザーが携帯している端末装置へ自分ＩＤを提供するように要求し、この要求により得られた自分ＩＤによる文書ボックスに記憶された文書を出力（印刷）する。なお、セキュリティ文書ボックスとは、コンピューター５１からの印刷ジョブを受け取ってから、ユーザーが画像形成装置１に直接印刷開始を指示するＩＤを入力するまで印刷しない機能である。ここでは、人体通信を通じてＩＤを取得することで、画像形成装置１に触れたユーザーがその文書ボックスから文書を取り出すユーザーであると認識して出力することになる。
【００６３】
自分キーの表示（Ｓ１０２、Ｓ１０３、Ｓ１０６、Ｓ１０８）後、それぞれの機能の選択待ち時間（自分キー表示タイマー）のカウントをスタートする（Ｓ１０９）。その後は、操作がなければＳ１０の処理において一般用ユーザーインターフェースの表示に切り替わることになる。
【００６４】
図４は、一般向けのユーザーインターフェース表示の手順を示すサブルーチンフローチャートである。この処理手順はＳ５の処理である。
【００６５】
初期画面（機能選択画面）で選択された機能に対応した一般向けユーザーインターフェースを表示する（Ｓ２０１）。その後、自分キー（Ｓ１０２、Ｓ１０４、Ｓ１０６、Ｓ１０８における表示）が表示中（またはその指示があったか）どうかを判断し（Ｓ２０２）、自分キーが表示中であればその表示を消去して（Ｓ２０３）、処理を終了する。一方、自分キーが表示中でなければ、そのまま初期画面（機能選択画面）で選択された機能に対応した一般向けユーザーインターフェースの表示を継続することになる。
【００６６】
図５は、ログインＩＤキー操作時の手順の一つの例を示すサブルーチンフローチャートである。この処理手順はＳ１０６の処理である。
【００６７】
この図５に示した手順は、自分ＩＤキー（端末装置に記憶されている情報の取得を許可するための操作キー）を表示する例である。この手順では、Ｓ１０６に入った時点で、自分ＩＤキーを表示部６に表示されているユーザーインターフェースに追加して表示する（Ｓ３０１）。その後のメインルーチンへ戻る。具体的な表示例については後述する。
【００６８】
図６は、ログインＩＤキー操作時制御の手順の他の例を示すサブルーチンフローチャートである。この処理手順も、Ｓ１０６の処理である。図６の手順では、操作毎に認証キー（端末装置に記憶されている情報の取得を許可するための操作キー）を表示する（Ｓ３１１）。具体的な表示例については後述する。
【００６９】
図７は、端末装置装着者向けのユーザーインターフェース消去の手順を示すサブルーチンフローチャートである。この処理手順はＳ１０の処理である。
【００７０】
現在、端末装置装着者向けのユーザーインターフェース表示中か否かを判断する（Ｓ４０１）。ここで端末装置装着者向けのユーザーインターフェース表示中であれば（Ｓ４０１：ＹＥＳ）、さらにＳ１０９でカウントを開始した自分キー表示タイマーがあらかじめ決められた時間を経過したか（オーバーフローしたか）を確認し（Ｓ４０２）、オーバーフローしていれば自分の示す自分キー（端末装置に記憶されている情報の取得を許可するための操作キー）を消去する（Ｓ４０３）。
【００７１】
Ｓ４０１で端末装置装着者向けのユーザーインターフェース表示中ではない場合、およびＳ４０２でオーバーフローしていなければ、メインルーチンへ戻る。
【００７２】
以上が本実施形態における画像形成装置とその制御手順である。
【００７３】
以下、さらに上述した制御手順に従って表示部６に表示されるユーザーインターフェースの具体例を説明する。
【００７４】
図８、図９、図１０、図１１は、スキャナー機能における送信先のメールアドレスを設定する場合のユーザーインターフェース例を示す説明図である。
【００７５】
図８に示すように、表示部６には機能選択画面１００が表示されている（上述した手順におけるＳ１の処理である。Ｓ番号について以下同様である）。
【００７６】
ここでは、表示部が表示しているコピーキー１０１、ＦＡＸキー１０２、スキャナーキー１０３、文書を蓄えているボックスを開くためのＢＯＸキー１０５、ログインのためのＩＤキー１０４などの機能を選択するキーと、操作部４として固定されているキャンセルキー１０６（ストップ、停止などと表示されている場合もある）、スタートキー１０７、およびテンキー１０８がある。
【００７７】
ユーザーがスキャン機能を選択するため、表示部６に表示されているスキャナーキー１０３に触ると、制御部２は、人体通信部５を通してユーザーの携帯する端末装置２００との間で人体通信が確立するかを確認する（Ｓ２〜Ｓ４）。なお、図においては、ユーザーがキーに触れたことを模式的に指２１０として示した（他の図においても同様）。
【００７８】
もし、端末装置２００を携帯しないユーザーであれば、人体通信は確立しないので、その場合は図９に示すようにスキャナー宛先設定画面が表示される（Ｓ５、Ｓ２０１〜２０３）。図９に示すスキャナー宛先設定画面では宛先欄１１０および設定されている宛先キー１１１が表示される。端末装置２００を携帯しないユーザーにおいては、自分のメールアドレスを画像形成装置１に登録していない場合は、直接入力ボタン（不図示）を選択した後、メールアドレスを１文字ずつ入力することになる。
【００７９】
一方、ユーザーが個人にまつわる情報（個人のアドレスなど）を記憶した人体通信端末装置２００を携帯している場合、このようなユーザーはスキャナー機能により読み取った画像データを自分のメールアドレス宛に送りたいと考えている。
【００８０】
このような端末装置２００を携帯しているユーザーがスキャナーキー１０３を触ると、人体通信が確立するので図１０に示すように、一般向けスキャナー宛先設定画面に追加で自分宛先を選択する「自分宛先」キー１１２が表示される（Ｓ６、Ｓ１０１、１０２）。「自分宛先」キー１１２は端末装置２００に記憶されている宛先情報を取得するためのキーである。
【００８１】
そして端末装置２００を携帯しているユーザーが図１１に示すように、「自分宛先」キー１１２を選択すると、制御部２が再度端末装置２００と人体通信を行って、端末装置２００内に記憶されている自分のメールアドレスを取得し、そのメールアドレスの文字列が画像形成装置１に転送され、宛先欄１１０に自動入力される。これにより、文字列を１文字ずつ入力する手間がなく、容易に自分のメールアドレスを入力することが可能となる。
【００８２】
しかし、この段階で、端末装置２００を携帯しているユーザーであっても、自分宛先以外に送りたいという要望がある。このような場合には、この段階で「自分宛先」を選択しなければ（たとえば他の宛先の選択やキャンセルキー１０６の入力）、それ以上先に処理が進むことはない。したがって、この段階で「自分宛先」を選択しなければ、携帯している端末装置２００内の情報が画像形成装置１側に取られることもない。また、わざわざ、人体通信機能を切るなどの別の操作をする必要もないのである。
【００８３】
このように、本実施形態では、端末装置２００との間で通信が確立していても図１０に示すように、端末装置に記憶されている情報の取得を許可するための操作キーとして「自分宛先」キー１１２を表示することとしたので、通信確立と同時にいきなり携帯している端末装置２００内の情報が読み取られたりすることがなくなる。また、人体通信により情報が流れてゆくことを防止するための別の操作（たとえば人体通信を切る操作）をする必要がない。
【００８４】
図１２、図１３、図１４、図１５は、コピー機能における条件設定をする場合のユーザーインターフェース例を示す説明図である。
【００８５】
図１２に示すように、まず初期画面の機能選択画面１００からユーザーがコピー機能を選択するため、表示部６に表示されているコピーキー１０１に触れると、制御部２は、人体通信部５を通してユーザーの携帯する端末装置２００との間で人体通信が確立するかを確認する（Ｓ２〜Ｓ４）。
【００８６】
もし、端末装置２００を携帯しないユーザーであれば、人体通信は確立しないので、その場合は図１３に示すように、一般向けコピー設定画面が表示される（Ｓ５、Ｓ２０１〜２０３）。図１３の一般向けコピー設定画面には、現在の状態を示す情報窓１２０、様々なコピー設定を選択する設定キー１２１（用紙、倍率、集約などの設定キー）が表示される。ユーザーが端末装置２００を携帯していない場合は、いつもの設定であっても個々の設定項目について逐一入力することになる。
【００８７】
一方、ユーザーが個人にまつわる情報（たとえば個人の印刷設定）を記憶した端末装置２００を携帯している場合、このようなユーザーはコピー機能をいつもの設定で実行したいと考えている。
【００８８】
このような端末装置２００を携帯しているユーザーがコピーキー１０１に触れると、人体通信が確立するので、図１４に示すように、一般向けコピー設定画面に追加で自分設定を入力するための「自分設定」キー１２２（端末装置に記憶されている情報の取得を許可するための操作キー）も同時に表示される（Ｓ６、Ｓ１０３、Ｓ１０４）。「自分設定」キー１２２は端末装置に記憶されている個人用設定情報を取得するためのキーである
ユーザーが「自分設定」キー１２２を選択すると図１５に示すように、制御部２は再度端末装置２００と人体通信して、端末装置２００内に記憶されている自分のいつもの設定を取得する。取得した設定が画像形成装置１においてコピーの設定として入力される。
【００８９】
これにより、個々の設定項目を逐一入力することなく、容易に自分のいつもの設定を入力することが可能となる。
【００９０】
このようにコピー機能が選択された場合も、本実施形態では、端末装置２００との間で通信が確立したのち、図１４に示すように、「自分設定」キー１２２を表示することとしたので、通信確立と同時にいきなり携帯している端末装置２００内の情報が読み取られたりすることがなくなり、また、人体通信により情報が流れてゆくことを防止するための別の操作（たとえば人体通信を切る操作）をする必要がない。
【００９１】
図１６、図１７、図１８、図１９は、ユーザー認証により画像形成装置へログインする場合のユーザーインターフェース例を示す説明図である。
【００９２】
図１６に示すように、まず初期画面である機能選択画面１００からユーザーがこの画像形成装置１にログインするために、表示されているＩＤキー１０４に触れると、制御部２は、人体通信部５を通してユーザーの携帯する端末装置２００との間で人体通信が確立するかを確認する（Ｓ２〜Ｓ４）。
【００９３】
もし、端末装置２００を携帯しないユーザーであれば、人体通信は確立しないので、その場合は図１７に示すように、一般向けＩＤ入力画面が表示される（Ｓ５、Ｓ２０１〜２０３）。ここで図１７の一般向けＩＤ入力画面には、ユーザー名欄１３０、パスワード欄１３１などが表示される。
【００９４】
端末装置２００を携帯しないユーザーは文字列入力画面（不図示）を用いて、ユーザー名やパスワードの文字列を１文字ずつ入力することになる。
【００９５】
一方、ユーザーが個人にまつわる情報（たとえばＩＤ）を記憶した端末装置２００を携帯している場合、そのユーザーはログインすることにより、個人を特定した環境で画像形成装置１を使用したいと考えている。
【００９６】
このような端末装置２００を携帯しているユーザーがＩＤキー１０４に触れると、人体通信が確立するので、図１８に示すように、一般向けＩＤ入力画面に追加で自分ＩＤを入力するための「自分ＩＤ」キー１３２（端末装置に記憶されている情報の取得を許可するための操作キー）も同時に表示される（Ｓ６、Ｓ３０１）。「自分ＩＤ」キー１３２は端末装置に記憶されているユーザー認証情報を取得するための操作キーである。
【００９７】
図１９に示すように、ユーザーが、まず「自分ＩＤ」キー１３２を選択すると（図１９中のまる１）、制御部２は人体通信部５を通じて再度端末装置２００と人体通信を行い、端末装置２００内に記憶されている自分のユーザー名とパスワードを取得する。取得したユーザー名とパスワードの文字列は端末装置２００から画像形成装置１に転送され、ユーザー名欄１３０およびパスワード欄１３１に入力される。この入力情報でログインするため、ユーザーが再度ＩＤキー１０４に触れること（（図１９中のまる２）でログインのために認証が行われる。
【００９８】
これにより、文字列を１文字ずつ入力することなく、容易に自分のユーザー名とパスワードを入力することが可能となる。
【００９９】
このようにユーザー認証により画像形成装置１へのログインが選択された場合も、本実施形態では、端末装置２００との間で通信が確立したのち、図１８に示すように、「自分ＩＤ」を選択するキー１０５を表示することとしたので、通信確立と同時にいきなり携帯している端末装置２００内の情報が読み取られたりすることがなくなり、また、人体通信により情報が流れてゆくことを防止するための別の操作（たとえば人体通信を切る操作）をする必要がない。
【０１００】
図２０は、ユーザー認証により画像形成装置１へログインする場合の他のユーザーインターフェース例を示す説明図である。
【０１０１】
この例でも、図１６と同様に、まず初期画面の機能選択画面１００からユーザーがＩＤキー１０４に触れることで、制御部２は人体通信部５を通してユーザーの携帯する端末装置２００との間で人体通信が確立するかを確認する（Ｓ２〜Ｓ４）。
【０１０２】
もし、端末装置２００を携帯しないユーザーであれば、人体通信は確立しないので、その場合は図１７同様にＩＤ入力画面が表示される（Ｓ５、Ｓ２０１〜２０３）。ここで、ユーザーは文字列入力画面（不図示）を用いて、ユーザー名やパスワードの文字列を１文字ずつ入力することになる。
【０１０３】
一方、端末装置２００を携帯しているユーザーであれば、人体通信が確立するので、図２０に示すように、操作毎に認証を指定するための「操作毎に認証」キー１４２（端末装置に記憶されている情報の取得を許可するための操作キー）も同時に表示される（Ｓ６、Ｓ３１１）。ユーザーが「操作毎に認証」キー１４２を選択することで、制御部２は人体通信部５を通じて再度端末装置２００と人体通信を行い、端末装置２００内に記憶されている自分のユーザー名とパスワードを取得すると同時に、取得したユーザー名とパスワードによってユーザー認証が行われる。
【０１０４】
これにより、文字列を１文字ずつ入力することなく、容易に自分のユーザー名とパスワードを入力することが可能となると同時に、これ以降の各キー操作に対して毎回ユーザー認証が行われるようになる。
【０１０５】
この例でも、図２０に示すように、「操作毎に認証」キー１４２を表示することとしたので、通信確立と同時にいきなり携帯している端末装置２００内の情報が読み取られたりすることがなくなり、また、人体通信により情報が流れてゆくことを防止するための別の操作（たとえば人体通信を切る操作）をする必要がない。
【０１０６】
図２１、図２２、図２３、図２４は、セキュリティ文書を印刷するためにセキュリティ文書ボックスへアクセスする場合のユーザーインターフェース例を示す説明図である。
【０１０７】
まず初期画面の機能選択画面１００から、ユーザーがＢＯＸキー１０５（図８参照）に触れると、図２１に示すように、様々な文書ボックスを選択する画面に切り替わる。図２１に示す文書ボックス選択画面には、様々な文書ボックスを選択するためのボックス選択キー１５０（共有ボックス、個人ボックスなど）とともに、認証が必要なボックスを示すセキュリティ文書ボックスキー１５１が表示される。
【０１０８】
ここでユーザーが文書ＩＤを入力する画面に遷移するため、セキュリティ文書ボックスキー１５２に触れると、制御部２は、人体通信部５を通してユーザーの携帯する端末装置２００との間で人体通信が確立するかを確認する（Ｓ２〜Ｓ４）。
【０１０９】
もし、端末装置２００を携帯しないユーザーであれば、人体通信は確立しないので、その場合は図２２に示すように、一般向け文書ＩＤ入力画面が表示される（Ｓ５、Ｓ２０１〜２０３）。図２２に示す一般向け文書ＩＤ入力画面には、文書ＩＤ欄１６０とパスワード欄１６１、およびＯＫキー１６５が表示される。ユーザーは文字列入力画面（不図示）を用いて、文書ＩＤやパスワードの文字列を１文字ずつ入力することになる。
【０１１０】
一方、セキュリティ文書にまつわる情報を記憶した端末装置２００を携帯しているユーザーは、セキュリティ文書ボックスにアクセスすることにより、セキュリティ文書ボックスに保存されている自分が登録したセキュリティ文書を印刷したいと考えている。
【０１１１】
そこでこのような端末装置２００を携帯しているユーザーがセキュリティ文書ボックスキー１５１に触れると、人体通信が確立するので、図２３に示すように、一般向け文書ＩＤ入力画面に追加で自分文書ＩＤを入力するための「自分文書ＩＤ」キー１６２（端末装置に記憶されている情報の取得を許可するための操作キー）も同時に表示される（Ｓ６、Ｓ１０７、Ｓ１０８）。「自分文書ＩＤ」キー１６２は端末装置に記憶されているセキュリティ文書情報を取得するためのキーである。
【０１１２】
図２４に示すように、ユーザーが「自分文書ＩＤ」キー１６２を選択すると（図２４中のまる１）、制御部２が人体通信部５を通じて再度端末装置２００と人体通信を行って端末装置２００内に記憶されている自分の文書ＩＤとパスワードを取得する。文書ＩＤとパスワードは端末装置２００から画像形成装置１に転送され、文書ＩＤ欄１６０およびパスワード欄１６１に入力される。この入力情報で文書を特定するため、ユーザーがＯＫキー１６５に触れること（図２４中のまる２）で文書の認証が行われる。その後スタートキー１０７が押されれば、その文書がユーザーのいる前で印刷出力されることになる。
【０１１３】
これにより、文字列を１文字ずつ入力することなく、容易に自分の文書ＩＤとパスワードを入力することが可能となる。
【０１１４】
このようにセキュリティ文書のボックス機能が選択された場合も、本実施形態では、端末装置２００との間で通信が確立したのち、図２３に示すように、「自分文書ＩＤ」キー１５２を表示することとしたので、通信確立と同時にいきなり携帯している端末装置２００内の情報が読み取られたりすることがなくなり、また、人体通信により情報が流れてゆくことを防止するための別の操作（たとえば人体通信を切る操作）をする必要がない。
【０１１５】
以上説明した本実施形態によれば以下のような効果を奏する。
【０１１６】
本実施形態では、まず端末装置２００との通信が確立したかどうかを判断して、そのとき通信が確立したとしても、その段階ではユーザーが携帯している端末装置２００からの情報の取得は行わない。そして、次の動作へ移行するために、端末装置２００に記憶されている情報の取得を許可するための操作キーを表示してユーザーからの入力を待つこととした。このため、通信確立と同時にユーザーが携帯している端末装置２００内の情報が読み取られたりすることがなくなり、また、人体通信により情報が流れてゆくことを防止するための別の操作（たとえば人体通信を切る操作）をする必要がない。また、これにより、端末装置２００を携帯するユーザーであっても、端末装置２００に関連した動作以外の機能や動作を行いたいユーザーも、それらの機能動作に簡単に移ることができる。もちろん、人体通信により通信可能な端末装置２００を携帯したユーザーは、操作キーを選択するだけで、端末装置２００の情報が取得されて、それ以降の動作が自動的に行われるようになる。
【０１１７】
したがって、人体通信を利用した端末装置の携帯者（ユーザー）の自動化の要望とともに、ユーザーのその時の希望に応じて手動操作をできるだけ少ない手間で行うことができるようになる。
【０１１８】
また、通信確立の段階では端末装置２００を携帯するユーザーが認証可能なユーザーであるかどうかは問わない。したがって端末装置２００を携帯しない一般ユーザーによる操作に影響を与えることなく、端末装置２００を携帯するユーザー特有の動作も容易に実行させることができる。
【０１１９】
また、端末装置に記憶されている情報の取得を許可するための操作キーの表示は所定時間経過した場合は消去することとした。また、端末装置を携帯していないユーザーが操作した場合も自分キーを消去することとした。これにより、一般ユーザーがこのような操作キーに触れた場合、なにも動作が起きなくて戸惑うことを極力少なくすることができる。
【０１２０】
なお、人体通信の可否は、各種機能キーや操作キーに触れたことで判断することとしたが、このよう人体通信の可否の判断は、キー表示枠以外の領域（メッセージ領域や背景領域等）にユーザーが触れることで判断するようにしてもよい。
【０１２１】
また、端末装置から情報を取得するための操作キーとして数例を示したが、端末装置に記憶可能な情報であれば、これらに限定するものでない。
【０１２２】
さらに、１画面内に１個の操作キーを表示する例を示したが、複数の操作キーを表示してもよい。
【０１２３】
また、本実施形態では、情報処理装置として様々機能（スキャナー、コピー、ファクシミリ、ボックス、機能設定ログインなど）を備えた複合機能を有する画像形成装置を例に説明したが、本発明は、このような複合機能を有する画像形成装置に限定されず、少なくとも一つの機能を有する情報処理装置であればよい。たとえばスキャナー単独機であれば、印刷機能はなくてもよい。また、コピー単独機であれば画像読取部はなくてもよい。また、スキャナー機能がなくボックス機能を有する印刷機であれば、画像読取部はなくてもよい。
【０１２４】
そのほか、本発明は特許請求の範囲によって解釈されるものであって、上述した実施形態や事例に限定的に解釈されるものではないことは言うまでもない。
【符号の説明】
【０１２５】
１  画像形成装置、
２  制御部、
３  記憶部、
４  操作部、
５  人体通信部、
６  表示部、
７  原稿読取部、
８  画像形成部、
９  入出力インターフェース、
１０  電源部、
５０  ネットワーク、
５１  コンピューター、
１００  機能選択画面、
１０１  コピーキー、
１０２  ＦＡＸキー、
１０３  スキャナーキー、
１０４  ＩＤキー、
１０５  ＢＯＸキー、
１０６  キャンセルキー
１０７  スタートキー、
１０８  テンキー、
１１２「自分宛先」キー、
１２２「自分設定」キー、
１３２  「自分ＩＤ」キー、
１４２  「操作毎に認証」キー、
１５２  セキュリティ文書ボックスキー、
１６２  「自分文書ＩＤ」キー、
２００  端末装置、
２１０  指。
【図１】
0005633526.tif 000002
【図２】
0005633526.tif 000003
【図３】
0005633526.tif 000004
【図４】
0005633526.tif 000005
【図５】
0005633526.tif 000006
【図６】
0005633526.tif 000007
【図７】
0005633526.tif 000008
【図８】
0005633526.tif 000009
【図９】
0005633526.tif 000010
【図１０】
0005633526.tif 000011
【図１１】
0005633526.tif 000012
【図１２】
0005633526.tif 000013
【図１３】
0005633526.tif 000014
【図１４】
0005633526.tif 000015
【図１５】
0005633526.tif 000016
【図１６】
0005633526.tif 000017
【図１７】
0005633526.tif 000018
【図１８】
0005633526.tif 000019
【図１９】
0005633526.tif 000020
【図２０】
0005633526.tif 000021
【図２１】
0005633526.tif 000022
【図２２】
0005633526.tif 000023
【図２３】
0005633526.tif 000024
【図２４】
0005633526.tif 000025